(57)【要約】【課題】効率的にプリント基板の誤装着を防止できる電子機器、シェルフ、及び基板ユニットを提供する。【解決手段】  基板ユニット２０には基板識別キーが設けられ、基板ユニットを挿抜可能に実装するためのスロットを含むシェルフにはスロット識別キーが設けられる。基板識別キー及びスロット識別キーは、プリント基板３０からの距離が異なる複数のレベルにおいて突出するよう構成される。  基板ユニット２０と、その基板ユニット２０に対応しないスロットとでは、基板識別キーとスロット識別キーとが等しいレベルに配置され、基板ユニット２０が対応しないスロットに誤って挿入されると、基板識別キーがスロット識別キーと衝突し、基板ユニット２０のそのスロットへの装着を防止する。【選択図】図４
2015015307.tif 000002
【特許請求の範囲】
【請求項１】
プリント基板を含む基板ユニットと、
前記基板ユニットを挿抜可能に実装するためのスロットを含むシェルフとを備え、
前記基板ユニットは、前記プリント基板からの距離が異なる複数のレベルのうち一つ以上のレベルにおいて前記シェルフの内壁側に突出するよう構成される基板識別キーを備え、
前記シェルフは、前記複数のレベルのうち一つ以上のレベルにおいて該基板ユニット側に突出するよう構成されるスロット識別キーを備え、
前記基板識別キーと前記スロット識別キーとのレベルが等しく、かつ、前記基板ユニットにおける前記基板識別キーの位置が前記シェルフにおける前記スロット識別キーの位置よりも挿入方向に深い位置である場合、前記基板ユニットが挿入される際に前記基板識別キーとスロット識別キーとが当接し、前記基板ユニットの実装を妨げることを特徴とする電子機器。
【請求項２】
前記シェルフは、挿入方向の深さが異なる複数個所に設けられた複数のスロット識別キーを備えることを特徴とする請求項１に記載の電子機器。
【請求項３】
前記基板ユニットは、挿入方向の深さが異なる複数個所に設けられた複数の基板識別キーを備えることを特徴とする請求項１または２に記載の電子機器。
【請求項４】
前記基板ユニットを冷却するためのファンと、
前記ファンの回転数を制御するファン制御部とをさらに備え、
前記シェルフは、前記複数のレベルのうち一つのレベルに設けられたファン用スイッチを備え、
前記基板識別キーの一つは、前記基板ユニットが挿入される際に前記ファン用スイッチと当接することを特徴とする請求項１から３のいずれかに記載の電子機器。
【請求項５】
複数の基板ユニットを備え、
前記シェルフは複数のスロット及び複数のファン用スイッチを備え、
前記ファン制御部は、前記基板識別キーと当接した前記ファン用スイッチの個数に応じて前記ファンの回転数を制御することを特徴とする請求項４に記載の電子機器。
【請求項６】
前記基板ユニットを冷却するためのファンと、
前記ファンの回転数を制御するファン制御部と、
風量調整レバーとをさらに備え、
前記ファン制御部は、前記基板識別キーが前記風量調整レバーに当接し、スライドさせた距離に応じて前記ファンの回転数を制御することを特徴とする請求項１から３のいずれかに記載の電子機器。
【請求項７】
前記シェルフは、
スライド可能であり、そのスライド距離に応じて該シェルフ側面の開口率を変更し、前記複数のレベルのうちの一つに設けられた突片を含む風量調整板をさらに備え、
前記基板識別キーの一つは、挿入される際に前記突片と当接することを特徴とする請求項１から６のいずれかに記載の電子機器。
【請求項８】
プリント基板からの距離が異なる複数のレベルのうち一つ以上のレベルにおいて突出するよう構成される基板識別キーを含む基板ユニットを挿抜可能に実装するためのスロットと、
前記複数のレベルのうち一つ以上のレベルにおいて該基板ユニット側に突出するよう構成されるスロット識別キーとを備え、
前記基板識別キーと前記スロット識別キーとのレベルが等しく、かつ、前記基板ユニットにおける該基板識別キーの位置が前記スロットにおける該スロット識別キーの位置よりも挿入方向に深い位置である場合、該基板ユニットが挿入される際に該スロット識別キーが該基板識別キーに当接し、該基板ユニットの実装を妨げることを特徴とするシェルフ。
【請求項９】
プリント基板を含む基板ユニットであって、
プリント基板からの距離が異なる複数のレベルのうち一つ以上のレベルにおいてシェルフの内壁側に突出するよう構成される基板識別キーを備え、
前記複数のレベルのうち一つ以上のレベルにおいて突出するよう構成されるスロット識別キーを備えるシェルフに挿入される際、前記基板識別キーと前記スロット識別キーとのレベルが等しく、かつ、前記基板識別キーの位置が前記シェルフにおける前記スロット識別キーの位置よりも挿入方向に深い位置である場合、前記基板識別キーが前記スロット識別キーに当接し、前記挿入を妨げることを特徴とする基板ユニット。
【発明の詳細な説明】
【技術分野】
【０００１】
本発明は電子機器に関し、特に、複数の基板ユニットをシェルフに実装する電子機器、シェルフ、及び基板ユニットに関する。
【背景技術】
【０００２】
近年増加の一途をたどる情報量を処理、伝達するために電子機器の高速化、大容量化が進められている。
電子機器における複数のプリント基板を実装する方法の一つに、背面にバックボードを設けたシェルフにおいて、シェルフ前面の開口部から挿入したプリント基板を並列又は直列にバックボードにプラグイン接続する方法がある。各プリント基板は挿抜可能であるが、通常は各プリント基板についてバックボード上で接続すべきコネクタが決められており、誤作動や破損を防ぐため、各プリント基板をそれぞれシェルフ内の正しいスロットに装着する必要がある。複数のプリント基板のサイズ及び外観は類似し、また複数のスロットのサイズ及び外観も類似するため、プリント基板を本来そのプリント基板を挿入すべきでないスロットに誤って挿入してしまう場合もある。
【０００３】
従来、プリント基板等の誤装着を防止するための構造が考案されている。
例えば特許文献１には、シェルフに回路パッケージと同様にプラグイン実装する電源パッケージの誤装着防止構造が記載されている。この誤装着防止構造は、電源パッケージ外形の所定位置に凹係合部または凸係合部を設け、シェルフの対応位置に凹係合部または凸係合部を設け、これら係合部の個数と位置によって電源パッケージの回路種別を区別するよう構成される。
【０００４】
また特許文献２には、電子回路基板の機能確認、測定を行うために用いられるエクステンションカードを交換機の架に誤挿入しないように、スライド可能な可動棒が配置されたエクステンションカードが記載されている。
【０００５】
また特許文献３には、電子部品試験装置において、パフォーマンスボードのテストヘッドへの誤装着を防止する誤装着防止装置が記載されている。この誤装着防止装置においては双方に嵌合部材が設けられ、それらの凹凸形状が対応するとき、パフォーマンスボードをテストヘッドに装着できる。
【先行技術文献】
【特許文献】
【０００６】
【特許文献１】特開平５−１９１０６４号公報
【特許文献２】特開２００２−１２４７８９号公報
【特許文献３】特開２００９−１０３６２０号公報
【発明の概要】
【発明が解決しようとする課題】
【０００７】
シェルフに複数のプリント基板を実装する電子機器において、プリント基板を不適切なスロットに誤装着すると、コネクタのピンや回路部品の損傷や誤作動等の恐れがある。誤装着を防止するために、区別すべきプリント基板及びスロットごとに、それぞれ異なる凹凸パターンの組み合わせのコネクタ等を用いる場合、区別すべきプリント基板の数に比例して種々の特殊部品を用意する必要があり、コストを押し上げる要因となる。
また誤装着防止のための部品を例えばバックボード等の一定の場所に取り付ける場合、その部品のために特定の設置場所を用意する必要があり、回路設計の際の自由度が下がる。これはプリント基板の高密度実装が要求される今日において望ましくない。
また誤装着防止のため、基板を最後まで挿入した際に嵌合する部品を用いる場合、基板を最後までスロットに挿入しないと誤挿入か否か分からない。
【０００８】
本発明はこうした課題に鑑みてなされたものであり、その目的は、効率的にプリント基板の誤装着を防止できる電子機器、シェルフ、及び基板ユニットを提供することにある。
【課題を解決するための手段】
【０００９】
上記課題を解決するために、本発明のある態様の電子機器は、プリント基板を含む基板ユニットと、基板ユニットを挿抜可能に実装するためのスロットを含むシェルフとを備える。基板ユニットは、プリント基板からの距離が異なる複数のレベルのうち一つ以上のレベルにおいてシェルフの内壁側に突出するよう構成される基板識別キーを備える。シェルフは、複数のレベルのうち一つ以上のレベルにおいて該基板ユニット側に突出するよう構成されるスロット識別キーを備える。基板識別キーとスロット識別キーとのレベルが等しく、かつ、基板ユニットにおける基板識別キーの位置がシェルフにおけるスロット識別キーの位置よりも挿入方向に深い位置である場合、基板ユニットが挿入される際に基板識別キーとスロット識別キーとが当接し、基板ユニットの実装を妨げる。
【００１０】
本発明の別の態様は、シェルフである。このシェルフは、プリント基板からの距離が異なる複数のレベルのうち一つ以上のレベルにおいて突出するよう構成される基板識別キーを含む基板ユニットを挿抜可能に実装するためのスロットと、異なる複数のレベルのうち一つ以上のレベルにおいて該基板ユニット側に突出するよう構成されるスロット識別キーとを備える。基板識別キーとスロット識別キーとのレベルが等しく、かつ、基板ユニットにおける該基板識別キーの位置がスロットにおける該スロット識別キーの位置よりも挿入方向に深い位置である場合、該基板ユニットが挿入される際に該スロット識別キーが該基板識別キーに当接し、該基板ユニットの実装を妨げる。
【００１１】
本発明のさらに別の態様は、基板ユニットである。この基板ユニットは、プリント基板を含む基板ユニットであって、プリント基板からの距離が異なる複数のレベルのうち一つ以上のレベルにおいてシェルフの内壁側に突出するよう構成される基板識別キーを備える。複数のレベルのうち一つ以上のレベルにおいて突出するよう構成されるスロット識別キーを備えるシェルフに挿入される際、基板識別キーとスロット識別キーとのレベルが等しく、かつ、基板識別キーの位置がシェルフにおけるスロット識別キーの位置よりも挿入方向に深い位置である場合、基板識別キーがスロット識別キーに当接し、挿入を妨げる。
【００１２】
なお、以上の構成要素の任意の組合せ、本発明の表現を方法、装置、システムなどの間で変換したものもまた、本発明の態様として有効である。
【発明の効果】
【００１３】
本発明によれば、プリント基板のシェルフのスロットへの誤装着を防止できる。
【図面の簡単な説明】
【００１４】
【図１】本発明の実施形態にかかる電子機器の構成を示す図である。
【図２】基板ユニットの構成を示す図である。
【図３】基板キー部材の一例を示す図である。
【図４】基板ユニット上での基板キー部材の取り付け位置を示す図である。
【図５】基板ユニット上での基板キー部材の取り付け位置を示す図である。
【図６】基板キー部材の別の例を示す図である。
【図７】図７（ａ）及び（ｂ）は、それぞれ基板キー部材のさらに別の例を示す図である。
【図８】基板ユニット上での基板キー部材の取り付け位置を示す図である。
【図９】電子機器の上面図である。
【図１０】電子機器から基板ユニットを抜去した状態を示す図である。
【図１１】図１１（ａ）及び（ｂ）はそれぞれ、シェルフ側壁に取り付けられるスロットキー部材の例を示す図である。
【図１２】スロットキー部材のシェルフ側壁への取り付け例を示す図である。
【図１３】図１３（ａ）及び（ｂ）はそれぞれ、シェルフ側壁に取り付けられるスロットキー部材のさらに別の例を示す図である。
【図１４】基板ユニットを対応するスロットに挿入した際の基板識別キー及びスロット識別キーの動作を示す図である。
【図１５】基板ユニットを対応しないスロットに誤って挿入した際の基板識別キー及びスロット識別キーの動作を示す図である。
【図１６】プリント基板からの距離に対応する複数のレベルを３段に設定した場合の、基板ユニット挿入可能な組み合わせ、及び基板ユニット挿入が阻止される組み合わせ例を示す図である。
【図１７】図３の基板キー部材について、基板ユニット挿入が可能なスロット識別キーの組み合わせ、及び基板ユニットの挿入が阻止される組み合わせの例を示す図である。
【図１８】基板ユニットを対応するスロットに挿入した際の基板識別キー及びスロット識別キーの動作を示す図である。
【図１９】基板ユニットを対応しないスロットに誤って挿入した際の基板識別キー及びスロット識別キーの動作を示す図である。
【図２０】プリント基板からの距離に対応する複数のレベルを３段に設定し、基板識別キー及びスロット識別キーをシェルフ筐体の奥行き方向に深さの異なる個所に配置した場合の基板ユニット挿入可能な組み合わせ例を示す図である。
【図２１】プリント基板からの距離に対応する複数のレベルを４段に設定し、うち一段に基板識別キーを設け、基板識別キー及びスロット識別キーをシェルフ筐体の奥行き方向に深さの異なる個所に配置した場合の基板ユニット挿入可能な組み合わせ例を示す図である。
【図２２】ファンスイッチのシェルフ側壁への取り付け例を示す図である。
【図２３】冷却すべき基板ユニットのプリント基板上に設けられた基板識別キーが、ファンスイッチを押下する様子を示す図である。
【図２４】スライド可能な風量調整レバーを含む風量調整機構を備えたファン制御用回路構成の例を示す図である。
【図２５】開口率を調整可能なシェルフ側壁において、風量調整板を取り外した状態を示す図である。
【図２６】図２５のシェルフ側壁にスライド可能に取り付けられる風量調整板を示す図である。
【図２７】図２５のシェルフ側壁に図２６の風量調整板を取り付けた状態において、基板ユニットの基板識別キーが係合片と当接し、風量調整板をスライドさせている状態を示す図である。
【図２８】図２８（ａ）から（ｄ）は、風量調整板がシェルフ側壁に対してスライドし、開口率が調整される様子を示す図である。
【発明を実施するための形態】
【００１５】
はじめに概要を説明する。
本発明の実施形態にかかる電子機器においては、シェルフの側面内壁には、各スロットを識別するためのスロット識別キーが設けられ、各基板ユニットのシェルフ側には、各基板ユニットを識別するための基板識別キーが設けられる。これらの識別キーは、基板平面からの距離が異なる複数のレベルのうちの一つ以上のレベルに配置される。
【００１６】
基板識別キーとスロット識別キーが同じレベルに配置されているときは、原則として基板ユニットを挿入する過程で識別キー同士が衝突するため、基板ユニットをそのスロットに装着できない。一方、基板ユニットの識別キーとスロットの識別キーが異なるレベルに配置されているときには識別キー同士が衝突せず、基板ユニットをそのスロットに装着できる。
基板ユニット及びスロットはそれぞれ複数の識別キーを備えてもよく、複数の識別キーの組み合わせにより、限られた部品数で複数種類の基板ユニットとスロット間の誤装着防止機構を実現できる。
【００１７】
基板識別キー及びスロット識別キーの双方とも筐体開口部から奥に向かう方向、すなわち基板を挿入する際の深さ方向において、任意の位置に配置できる。
したがって、どの程度挿入したときに識別キー同士が衝突し、または衝突せずにすれ違うのか等の所望の仕様により、また、プリント基板上の電子デバイスレイアウトに合わせて、基板識別キー及びスロット識別キーの位置を決定できる。
【００１８】
また基板識別キーは、基板ユニットがスロットの奥まで挿入されたとき、スイッチ等を押すよう配置されてもよい。これにより、個々の基板に合わせて、例えばファンを駆動させたり、壁の開口率を変更したりできる。
【００１９】
以下、詳細に説明する。
図１は、本発明の実施形態にかかる電子機器１０の構成を示す。
電子機器１０は、外側筐体１０２、内側筐体（以下、「シェルフ筐体」または「シェルフ」ともよぶ）１０６、ファンユニット１０４、及び、基板ユニット２０を備える。
電子機器１０の筐体を構成する外側筐体１０２及びシェルフ筐体１０６は前面が開口するよう形成される。外側筐体１０２はシェルフ筐体１０６を収容し、シェルフ筐体１０６は、プリント基板すなわち電子回路基板等を含む基板ユニット２０を実装可能なスロットを含む。
【００２０】
基板ユニット２０は挿抜式であり、図１の白抜き矢印に示す向きにシェルフ筐体１０６の開口前面から挿入され、シェルフ筐体１０６の奥すなわち背面に設けられるバックボード（図示せず）とのプラグイン接続により実装される。シェルフ筐体１０６には、実装される基板ユニット２０の数と同数のスロットが形成される。各基板ユニット２０についてそれぞれ挿入されるべきスロットが定められている。
ファンユニット１０４は、シェルフ筐体１０６内に風の流れを形成し、プリント基板３０上の電子デバイスを冷却する。
【００２１】
図２は、基板ユニット２０の構成を示す。基板ユニット２０は、プリント基板３０、表面板３２、基板側レール３４、コネクタ３６、及び、基板キー部材２２を備える。
基板ユニット２０は、コネクタ３６の側から基板側レール３４に平行な方向にシェルフ筐体１０６に挿入される。
【００２２】
プリント基板３０には、ＩＣチップ等の電子デバイス（図示せず）が実装される。表面板３２は、基板ユニット２０がシェルフ筐体１０６の奥まで挿入され、プラグイン接続された際にシェルフ筐体１０６前記面の開口部を塞ぐ。基板側レール３４は、基板ユニット２０がシェルフ筐体１０６の一つのスロットに真っ直ぐ挿入されるよう、基板ユニット２０をシェルフ筐体１０６内部のレールに沿ってスライドさせる。コネクタ３６は、基板ユニット２０をシェルフ筐体１０６のバックボード（図示せず）に設けられたコネクタに接続する。基板キー部材２２は、基板ユニット２０がその基板ユニット２０を装着すべきでないスロットに挿入された際、後述するスロットキー部材との衝突により基板ユニット２０の誤装着を防止する。
【００２３】
図３は、基板キー部材２２の一例である基板キー部材２２ａを示す。基板キー部材２２ａは、支持部２４、及び３個の基板識別キー２６を含む。なお、例えば後述する基板キー部材２２ｂ〜２２ｄのように、基板キー部材２２は様々な形状に構成されうる。基板キー部材２２ａ〜２２ｄを総称して「基板キー部材２２」ともよぶ。いずれの基板キー部材２２も支持部２４、及び基板識別キー２６を含む。
【００２４】
基板識別キー２６は、各基板ユニット２０を識別するために設けられ、プリント基板３０からの高さすなわち距離が異なる複数のレベルのうち一つ以上のレベルにおいて、シェルフの内壁側に突出するよう構成される。
図３の基板キー部材２２ａにおいては、２つの溝を挟んで３個の基板識別キー２６が形成されている。プリント基板３０からの高さが異なる複数のレベルを、１番高いレベルから基板に近いレベルに向かって第１レベル〜第７レベルとすると、上段の基板識別キー２６は、第１レベルにおいて突出し、中段の基板識別キー２６は第３レベルと第４レベルにおいて突出し、下段の基板識別キー２６は第６レベルと第７レベルにおいて突出する。
【００２５】
基板キー部材２２がシェルフ筐体１０６の特定のスロットに挿入される際、基板識別キー２６はそのスロットに設けられたスロット識別キー（後述）と衝突し、または衝突せずに通過することで、その基板キー部材２２のそのスロットへの装着可否をユーザに知らしめる。
【００２６】
支持部２４は、基板識別キー２６をプリント基板３０に固定し、また特定のレベルにおいてシェルフの内壁側に突出するよう支持する。支持部２４は、例えばネジ等によりプリント基板３０に固定されてもよく、また例えば基板側レール３４を支持する支柱等、他の目的の構造の一部として形成されてもよい。
【００２７】
図４及び図５は、基板ユニット２０上の基板キー部材２２の取り付け位置例を示す図である。
図４では、基板キー部材２２は基板ユニット２０の挿入方向に深い位置に設けられている。ここで「挿入方向に深い」位置とは、基板ユニット２０がシェルフ筐体１０６に装着された際に、シェルフ筐体１０６背面のバックボードに近い位置をいう。一方「挿入方向に浅い」位置とは、基板ユニット２０がシェルフ筐体１０６に装着された際に、シェルフ筐体１０６の開口に近い位置をいう。
一方図５では、基板キー部材２２は基板ユニット２０の挿入方向において中間の位置、すなわち、基板ユニット２０がシェルフ筐体１０６に装着された際、シェルフ筐体１０６前面の開口からも、背面のバックボードからも同程度の距離となる位置に設けられている。
【００２８】
図６は、基板キー部材２２の別の例である基板キー部材２２ｂを示す。
基板キー部材２２ｂは、支持部２４と一つの基板識別キー２６を備える。
基板識別キー２６は、プリント基板３０からの高さすなわち距離が異なる複数のレベルのうち一つのレベルにおいて、シェルフの内壁側に突出するよう構成される。すなわち図６のプリント基板３０の端に向かう方向に突出し、あるいは端から突出するよう構成される。支持部２４は、留め具５５によってプリント基板３０に固定され、基板識別キー２６を支持する。
【００２９】
図７（ａ）は、基板キー部材２２のさらに別の例である基板キー部材２２ｃを示す。
図７（ｂ）は、基板キー部材２２のさらに別の例である基板キー部材２２ｄを示す。
基板キー部材２２は、図７（ｂ）に示す基板キー部材２２ｃのように、支持孔５６を備え、基板側レール３４を支持するレール支持部５８等の他の構造に取り付けられてプリント基板３０に対して固定されてもよい。基板キー部材２２はまた、他の構造の一部として形成されてもよい。
このように、基板キー部材２２は基板識別キー２６を所望のレベルにおいてシェルフ筐体１０６側に突出するようプリント基板３０に対して固定し、支持できる構造であれば、どのような形状であってもよい。
【００３０】
図８は、基板ユニット２０上での基板キー部材２２の取り付け位置の例を示す図である。
図８に示すように、複数の基板キー部材２２が、基板ユニット２０の挿入方向の深さが異なる位置において基板ユニット２０に設けられてもよい。
【００３１】
図４、図５、及び図８に示したように本実施形態にかかる基板キー部材２２は、基板ユニット２０の挿入方向において任意の位置に設置できるため、プリント基板３０上の電子デバイスレイアウト設計時の自由度を制限しない。
【００３２】
図９は、電子機器１０の上面図である。
図１０は、電子機器１０から基板ユニット２０を抜去した状態を示す図である。
前述のように、電子機器１０の筐体は、外側筐体１０２、及びシェルフ筐体１０６で構成される。外側筐体１０２とシェルフ筐体１０６の間には隙間があり、シェルフ筐体１０６のシェルフ側壁１０８は、グリッドやメッシュ、ハニカム構造など、風を透過させるよう形成される。シェルフ筐体１０６はフレームとして構成されてもよい。
ファンユニット１０４内のファンを回転させると、ファンユニット１０４から電子機器１０の外に排出される流出気流１６が形成される。その結果、外側筐体１０２とシェルフ筐体１０６の間の隙間に流入する流入気流１４、及びシェルフ筐体１０６のシェルフ側壁１０８を通過し、シェルフ筐体１０６内部で冷却対象である電子機器を冷却しながら通過する冷却気流１８が形成される。
【００３３】
図１１（ａ）は、シェルフ側壁１０８に取り付けられるスロットキー部材１１６の一例であるスロットキー部材１１６ａを示す。
図１１（ｂ）は、シェルフ側壁１０８に取り付けられるスロットキー部材１１６の別の例であるスロットキー部材１１６ｂを示す。
なお、スロットキー部材１１６は、これらの他にも後述するスロットキー部材１１６ｃ〜１１６ｄのように、様々な形状に構成されうる。スロットキー部材１１６ａ〜１１６ｄを総称して「スロットキー部材１１６」ともよぶ。スロットキー部材１１６は、スロット識別キー１１７及び支持部１１５を含む。
【００３４】
スロット識別キー１１７は、シェルフ筐体１０６の各スロットを識別するために設けられ、そのスロットに基板ユニット２０が挿入された際に、そのプリント基板３０からの高さすなわち距離が異なる複数のレベルのうち一つ以上のレベルにおいて、シェルフの内壁側に突出するよう構成される。
スロットキー部材１１６ａのスロット識別キー１１７は、複数のレベルのうち一つのレベルにおいて基板ユニット２０側に突出するよう配置される。
スロットキー部材１１６ｂのスロット識別キー１１７は、複数のレベルのうち一つのレベル、あるいは隣り合う二つ以上のレベルにおいて基板ユニット２０側に突出するよう配置される。
スロット識別キー１１７は基板ユニット２０が挿入される際、その基板ユニット２０の基板識別キー２６と衝突し、または衝突せずに通過することで基板キー部材２２のそのスロットへの装着可否をユーザに知らしめる。
【００３５】
支持部１１５は、スロット識別キー１１７をシェルフ側壁１０８に固定し、また複数のレベルのうち一つ以上のレベルにおいてシェルフ筐体１０６の内側、すなわちシェルフ筐体１０６に基板ユニット２０が装着されたときにその基板ユニット２０に向かって突出するよう支持する。
【００３６】
図１２は、スロットキー部材１１６ａ及びスロットキー部材１１６ｂのシェルフ側壁１０８への取り付け例を示す。
図１２は、シェルフ筐体１０６の内側をシェルフ筐体１０６の前面すなわち開口側から見た際のシェルフ側壁１０８の一部を示している。シェルフ側壁１０８は、開口部枠１０７、シェルフ柱１１２、メッシュ板１１４、及びシェルフガイドレール１１０を含む。
シェルフガイドレール１１０は、基板ユニット２０がシェルフ筐体１０６の開口から挿入される際、一つの基板ユニット２０が一つのスロットに真っ直ぐ挿入されるよう案内する。
図１２に示す例においては、シェルフ側壁１０８のうち隣り合う二つのシェルフガイドレール１１０に挟まれる領域が一つの基板ユニット２０を格納する一つのスロットの側壁となる。
【００３７】
図１２は、シェルフ側壁１０８のシェルフ柱１１２にスロットキー部材１１６を取り付けた例を示しているが、スロットキー部材１１６はシェルフ柱１１２に限らず、メッシュ板１１４に取り付けられてもよく、またシェルフの梁（図示せず）に取り付けられてもよい。
【００３８】
基板ユニット２０が実装された際にそのプリント基板３０からの距離が異なる複数のレベルのうち所望の一つあるいは二つ以上のレベルにおいてスロット識別キー１１７が基板ユニット２０側に突出するようシェルフガイドレール１１０に垂直な方向のスロットキー部材１１６の取付位置が定められる。
【００３９】
スロットキー部材１１６の取付位置は、シェルフガイドレール１１０に平行な方向すなわち基板ユニット２０挿入方向（「奥行き方向」ともよぶ）に対して任意に設定できる。  一般的にシェルフ側壁１０８に取り付けられる部品はプリント基板３０上に比べて少ないと考えられる。従って、例えばプリント基板３０上の電子デバイスレイアウトに合わせて基板ユニット２０上の基板キー部材２２の位置を定め、その位置に合わせて、スロットキー部材１１６の取り付け位置を調整する。
これにより、プリント基板３０上の電子デバイスレイアウト設計の際の自由度を損わず、かつ、スロット識別キー１１７と基板識別キー２６とが衝突し、または衝突せずにすれ違うときの基板ユニット２０のシェルフ筐体１０６に対する位置を所望の挿入深さに設定できる。
【００４０】
図１３（ａ）は、シェルフ側壁１０８に取り付けられるスロットキー部材１１６のさらに別の例であるスロットキー部材１１６ｃを示す。
図１３（ｂ）は、シェルフ側壁１０８に取り付けられるスロットキー部材１１６のさらに別の例であるスロットキー部材１１６ｄを示す。
【００４１】
図１３（ａ）に示すスロットキー部材１１６ｃは、隣り合わない二つのレベルにおいてそれぞれ突出する二つのスロット識別キー１１７を備える。
図１３（ｂ）に示すスロットキー部材１１６ｄは、隣り合う二つのスロットにおいて、挿入方向の深さが同じ位置にそれぞれスロット識別キー１１７を設ける場合に、一つの支持部１１５で二つのスロット識別キー１１７を支持する。
なお、スロットキー部材１１６ｄの支持部１１５は差込片１１９を含み、留め具による固定とともに、差込片をシェルフ側壁１０８に設けられたスリット（図示せず）に差し込むことで、より堅牢にスロット識別キー１１７を支持する。
【００４２】
このようにスロットキー部材１１６は、スロット識別キー１１７を複数のレベルの一つ以上においてシェルフ筐体１０６内側に突出するようシェルフ側壁１０８に固定できる構造であれば、どのような形状であってもよい。
【００４３】
以上の構成による動作は以下の通りである。
図１４は、ユーザが基板ユニット２０をシェルフ筐体１０６の対応するスロットに挿入した際の基板識別キー２６及びスロット識別キー１１７の動作を図３の基板キー部材２２ａおよび図１１（ａ）のスロットキー部材１１６ａを例にして示す。対応するスロットとは、その基板ユニット２０を装着するためのスロットであり、例えばその基板ユニット２０に設けられたコネクタに適切に嵌合するコネクタが設けられているスロットである。
【００４４】
基板ユニット２０の基板識別キー２６と、その基板ユニット２０に対応するスロットのスロット識別キー１１７とは、プリント基板３０からの距離すなわちレベルが異なるよう構成される。したがって、図１４の白抜き矢印の向きに基板ユニット２０をスロットに挿入する際、基板キー部材２２がスロット識別キー１１７に衝突せずに通過する。
【００４５】
図１５は、ユーザが基板ユニット２０をシェルフ筐体１０６の対応しないスロット、すなわち別の基板ユニット２０を装着するためのスロットに誤って挿入した際の基板識別キー２６及びスロット識別キー１１７の動作を図３の基板キー部材２２ａおよび図１１（ａ）のスロットキー部材１１６ａの例について示す。図１５は、白抜き矢印の向きに挿入される基板ユニット２０をシェルフ筐体１０６の奥のバックボード側から見た様子を示す。
【００４６】
基板ユニット２０の基板識別キー２６と、その基板ユニット２０に対応しないスロットのスロット識別キー１１７とは、等しいレベルを有する基板識別キー２６とスロット識別キー１１７の組み合わせを含む。したがって、基板ユニット２０の挿入過程で基板キー部材２２がスロット識別キー１１７に衝突し、ユーザはそれ以上基板ユニット２０をシェルフ筐体１０６の奥に挿入できない。図１５の例では、スロット識別キー１１７のレベルと基板キー部材２２の中段の基板識別キー２６のレベルが重なるため、基板キー部材２２はスロット識別キー１１７を通過できず、これ以上基板ユニット２０をシェルフ筐体１０６の奥に挿入できない。
よって基板ユニット２０の誤装着を防止できる。
【００４７】
なお、前述のように、基板ユニット２０上の基板キー部材２２の取り付け位置、及び、シェルフ側壁１０８上のスロットキー部材１１６の取付位置については基板ユニット２０の挿入方向について自由度がある。
基板ユニット２０の挿入途中における基板識別キー２６とスロット識別キー１１７との当接または衝突は、基板識別キー２６とスロット識別キー１１７とのレベルが等しく、かつ、基板ユニット２０における基板識別キー２６の位置がスロットにおけるスロット識別キーの位置よりも挿入方向に深い位置である場合に生じる。
【００４８】
すなわち、基板ユニット２０のスロットへの誤装着を防止したい場合、基板ユニット２０をスロットに挿入する過程で、基板識別キー２６とスロット識別キー１１７とが衝突するよう基板識別キー２６及びスロット識別キー１１７の基板挿入方向の位置を調整する。
基板識別キー２６とスロット識別キー１１７とが衝突するような基板識別キー２６とスロット識別キー１１７の配置パターンは無数にある。よって、基板ユニット２０における電子部品のレイアウトや、どの程度挿入したときにユーザにその基板ユニット２０のスロットへの装着の可否を知らせるか等の所望の仕様に合わせて基板識別キー２６及びスロット識別キー１１７の位置を決定すればよい。
【００４９】
これにより、プリント基板３０上の電子デバイスレイアウト設計の際の自由度を損わず、かつ、スロット識別キー１１７と基板識別キー２６とが衝突するときの基板ユニット２０のシェルフ筐体１０６に対する位置を所望の挿入深さに設定し、誤装着を防止できる。
すなわち、安全性、利便性、及びプリント基板３０上の電子部品の高密度実装の要求を同時に充足できる。
【００５０】
図１６は、プリント基板３０からの距離に対応する複数のレベルを３段に設定した場合に基板ユニット２０挿入が可能な組み合わせ、及び基板ユニット２０挿入が阻止される組み合わせの例を示す。図１６においては、二つの基板識別キー２６または二つのレベルに跨る基板識別キー２６を含む基板キー部材２２が設けられた基板ユニット２０が、一つのスロット識別キー１１７を含むスロットキー部材１１６が設けられたスロットに挿入される際の９通りの組み合わせを示す。
なお、ここでは、基板キー部材２２の基板ユニット２０上の設置位置が、スロットキー部材１１６のシェルフ筐体１０６における位置よりも、挿入方向に深い場合を想定している。
【００５１】
３段のレベルをプリント基板３０からの距離、または基板ユニット２０をシェルフ筐体１０６に挿入したときにプリント基板３０が位置する基板レベル１２４からの距離が大きい方から第１レベル２５、第２レベル２７、第３レベル２８とし、基板識別キー２６またはスロット識別キー１１７が配置されるレベルを黒四角で示す。
なお、後述の図１７、２０、２１においても同様に、基板識別キー２６またはスロット識別キー１１７が配置されるレベルを黒四角で示す。
【００５２】
基板キー部材２２において第２レベル２７及び第３レベル２８に基板識別キー２６が配置される場合（パターンＡ）、スロットキー部材１１６において第１レベル２５のみにスロット識別キー１１７を配置すれば（パターンＡ’）、基板識別キー２６はスロット識別キー１１７に衝突しない。よって基板ユニット２０をスロットに装着できる。
他方、スロットキー部材１１６において第２レベル２７または第３レベル２８にスロット識別キー１１７を配置すると（パターンＢ’またはＣ’）、基板識別キー２６はスロット識別キー１１７に衝突し、基板ユニット２０の挿入が阻止される。
【００５３】
同様に、基板キー部材２２において第１レベル２５及び第３レベル２８に基板識別キー２６が配置される場合（パターンＢ）、スロットキー部材１１６において第２レベル２７のみにスロット識別キー１１７を配置すれば（パターンＢ’）、基板識別キー２６はスロット識別キー１１７に衝突しない。よって基板ユニット２０をスロットに装着できる。
他方、スロットキー部材１１６において第１レベル２５または第３レベル２８にスロット識別キー１１７を配置すると（パターンＡ’またはＣ’）、基板識別キー２６はスロット識別キー１１７に衝突し、基板ユニット２０の挿入が阻止される。
【００５４】
また、基板キー部材２２において第１レベル２５及び第２レベル２７に基板識別キー２６が配置される場合（パターンＣ）、スロットキー部材１１６において第３レベル２８のみにスロット識別キー１１７を配置すれば（パターンＣ’）、基板識別キー２６はスロット識別キー１１７に衝突しない。よって基板ユニット２０をスロットに装着できる。
他方、スロットキー部材１１６において第１レベル２５または第２レベル２７にスロット識別キー１１７を配置すると（パターンＡ’またはＢ’）、基板識別キー２６はスロット識別キー１１７に衝突し、基板ユニット２０の挿入が阻止される。
【００５５】
すなわち、基板ユニット２０をシェルフ筐体１０６のスロットに奥まで挿入し、装着できる組み合わせは、基板キー部材２２がパターンＡでスロットキー部材１１６がパターンＡ’の場合、基板キー部材２２がパターンＢでスロットキー部材１１６がパターンＢ’の場合、基板キー部材２２がパターンＣでスロットキー部材１１６がパターンＣ’の場合の３通りである。
【００５６】
基板識別キー２６及びスロット識別キー１１７を配置するレベルの数を増加させると組み合わせパターン数も増加でき、より多くの種類の基板ユニット２０を識別したい場合にも対応できる。
【００５７】
図１７は、図３の基板キー部材２２ａの例について、基板ユニット２０を挿入可能なスロット識別キー１１７の組み合わせ、及び基板ユニット２０の挿入が阻止される組み合わせの例を示す。
図１７においては、プリント基板３０または基板レベル１２４からの距離に対応する複数のレベルを７レベルとし、プリント基板３０または基板レベル１２４からの距離が大きい方を第１レベル７０、プリント基板３０または基板レベル１２４からの距離が小さい方を第７レベル８２とする。基板キー部材２２ａにおいては、そのうち第１レベル７０、第３レベル７４、第４レベル７６、第６レベル８０、第７レベル８２において突出するよう３つの基板識別キー２６が配置されている。なお、ここでは基板キー部材２２の基板ユニット２０上の設置位置が、第１スロットキー部材１２６、第２スロットキー部材１２８のシェルフ筐体１０６における位置よりも、挿入方向に深い場合を想定している。
【００５８】
基板キー部材２２において基板識別キー２６が配置されていないレベルに第１スロットキー部材１２６及び第２スロットキー部材１２８のスロット識別キー１１７が配置されていれば、基板識別キー２６はスロット識別キー１１７に衝突せず、基板ユニット２０をスロットに挿入できる。
【００５９】
図１７に示す基板キー部材２２では、第２レベル７２及び第５レベル７８に基板識別キー２６が配置されていない。したがって、パターン（１）に示すように第１スロットキー部材１２６及び第２スロットキー部材１２８のスロット識別キー１１７が第２レベル７２または第５レベル７８であれば、基板識別キー２６がスロット識別キー１１７に衝突しない。よって基板ユニット２０をスロットに挿入できる。
【００６０】
一方、図１７のパターン（２）に示すように、第１スロットキー部材１２６のスロット識別キー１１７が第４レベル７６に配置される場合、基板識別キー２６が第１スロットキー部材１２６のスロット識別キー１１７と衝突し、基板ユニット２０のスロットへの装着が阻止される。
また、図１７のパターン（３）に示すように、第２スロットキー部材１２８のスロット識別キー１１７が第３レベル７４に配置される場合、基板識別キー２６が第２スロットキー部材１２８のスロット識別キー１１７と衝突し、基板ユニット２０のスロットへの装着が阻止される。
【００６１】
図１７の例のように７段のレベルのうちの５段に基板識別キー２６を配置する場合、その組み合わせは７Ｃ２すなわち２１通りであり、２１種類の基板ユニット２０を識別できる。
【００６２】
なお、図１７では、スロット識別キー１１７をそれぞれ一つ備える第１スロットキー部材１２６、第２スロットキー部材１２８を挿入方向の深さが異なる位置に設けた例を示したが、この場合、第１スロットキー部材１２６、第２スロットキー部材１２８の基板挿入方向の位置関係は問わない。
すなわち、第１スロットキー部材１２６、第２スロットキー部材１２８のスロット識別キー１１７を挿入方向の深さが等しい位置に設けた場合、或いは第１スロットキー部材１２６、第２スロットキー部材１２８のシェルフ筐体１０６における基板挿入方向の位置を入れ換えた場合も、パターン（１）〜（３）において、挿入の可否は変わらない。
【００６３】
図１８は、ユーザが基板ユニット２０をシェルフ筐体１０６の対応するスロットに挿入した際の基板識別キー２６及びスロット識別キー１１７の動作を図６の基板キー部材２２ｂおよび図１１（ｂ）のスロットキー部材１１６ｂを例にして示す。
【００６４】
この場合、基板ユニット２０の基板識別キー２６と、その基板ユニット２０に対応するスロットのスロット識別キー１１７とは、プリント基板３０からの距離すなわちレベルが異なるよう構成される。したがって、図１８の白抜き矢印の向きに基板ユニット２０をスロットに挿入する際、基板キー部材２２がスロット識別キー１１７に衝突せずに通過する。
【００６５】
図１９は、ユーザが基板ユニット２０をシェルフ筐体１０６の対応しないスロット、すなわち別の基板ユニット２０を装着するためのスロットに誤って挿入した際の基板識別キー２６及びスロット識別キー１１７の動作を図６の基板キー部材２２ｂおよび図１１（ｂ）のスロットキー部材１１６ｂを例にして示す。
【００６６】
基板ユニット２０の基板識別キー２６と、その基板ユニット２０に対応しないスロットに設けられたスロットキー部材１１６とは、等しいレベルを有する基板識別キー２６とスロット識別キー１１７の組み合わせを含む。したがって、基板ユニット２０の挿入過程で基板キー部材２２がスロット識別キー１１７に衝突し、ユーザはそれ以上基板ユニット２０をシェルフ筐体１０６の奥に挿入できない。よって、基板ユニット２０のそのスロットへの誤装着を防止できる。
【００６７】
なお、前述のように、基板ユニット２０上の基板キー部材２２の取り付け位置、及び、シェルフ側壁１０８上のスロットキー部材１１６の取付位置は基板ユニット２０の挿入方向に対して自由度を有する。
基板ユニット２０の挿入途中における基板識別キー２６とスロット識別キー１１７との当接すなわち衝突は、基板識別キー２６とスロット識別キー１１７とのレベルが等しく、かつ、基板ユニット２０における基板識別キー２６の位置がスロットにおけるスロット識別キーの位置よりも挿入方向に深い位置である場合に生じる。
【００６８】
図２０は、プリント基板３０からの距離に対応する複数のレベルを３段に設定し、基板識別キー２６及びスロット識別キー１１７をシェルフ筐体１０６の奥行き方向に深さの異なる２個所に配置した場合に基板ユニット２０挿入が可能な組み合わせの例を示す。
【００６９】
図２０において、基板ユニット２０の奥行きの異なる位置に設けられた２個の基板キー部材２２を挿入方向に深い側から第１基板キー部材４２、第２基板キー部材４４とする。また、シェルフ筐体１０６の奥行きの異なる位置に設けられた２個のスロットキー部材１１６をシェルフ筐体１０６の奥から第２スロットキー部材１２８、第１スロットキー部材１２６とする。
【００７０】
このように、基板キー部材２２及びスロットキー部材１１６のいずれかまたは両方を挿入方向の深さが異なる複数個所に設けてもよい。この場合、基板ユニット２０がシェルフ筐体１０６のスロットに挿入されてプラグイン接続されるまでの間に全ての基板キー部材２２が全てのスロットキー部材１１６を通過するよう配置が定められてもよく、或いは一部の基板キー部材２２は一部のスロットキー部材１１６を通過するよう配置が定められてもよい。
すなわち、基板ユニット２０における全ての基板キー部材２２の位置が、シェルフ筐体１０６における全てのスロットキー部材１１６の位置よりも挿入方向に深い位置に配置されてもよい。或いは一部の基板キー部材２２の基板ユニット２０における位置が、一部のスロットキー部材１１６のシェルフ筐体１０６における位置よりも挿入方向に浅い位置に配置されてもよい。
【００７１】
図２０の例では、基板ユニット２０がシェルフ筐体１０６のスロットの奥まで挿入され、プラグイン接続されるまでの間、第１基板キー部材４２は第１スロットキー部材１２６及び第２スロットキー部材１２８を通過し、第２基板キー部材４４は、第１スロットキー部材１２６を通過する。
【００７２】
この場合、第１基板キー部材４２及び第２基板キー部材４４の基板識別キー２６の配置の組み合わせは、３Ｃ１と２Ｃ１の積となり、図２０のパターンａからｆに示すように６通りある。それぞれの場合について、第１スロットキー部材１２６が第１基板キー部材４２及び第２基板キー部材４４を通過させ、第２スロットキー部材１２８が第１基板キー部材４２を通過させるスロット識別キー１１７の配置パターンがａ’からｆ’に示すように一つずつある。したがって、６種類の基板ユニット２０を識別できる。
【００７３】
図２１は、プリント基板３０からの距離に対応する複数のレベルを４段に設定し、基板識別キー２６及びスロット識別キー１１７をシェルフ筐体１０６の奥行き方向に深さの異なる３個所に配置した場合に基板ユニット２０挿入が可能な組み合わせの例を示す。
【００７４】
図２１において、基板ユニット２０の奥行きの異なる位置に設けられた３個の基板キー部材２２を挿入方向に深い側から第１基板キー部材４６、第２基板キー部材４８、第３基板キー部材５０とする。また、シェルフ筐体１０６の奥行きの異なる位置に設けられた３個のスロットキー部材１１６をシェルフ筐体１０６の奥から第３スロットキー部材１３４、第２スロットキー部材１３２、第１スロットキー部材１３０とする。
【００７５】
図２１の例では、基板ユニット２０がシェルフ筐体１０６のスロットの奥まで挿入され、プラグイン接続されるまでの間、第１基板キー部材４６は、第１スロットキー部材１３０、第２スロットキー部材１３２、第３スロットキー部材１３４を通過し、第２基板キー部材４８は、第１スロットキー部材１３０及び第２スロットキー部材１３２を通過し、第３基板キー部材５０は、第１スロットキー部材１３０を通過する。
【００７６】
この場合、第１基板キー部材４６、第２基板キー部材４８、及び第３基板キー部材５０の基板識別キー２６の配置の組み合わせは、４Ｃ１、３Ｃ１、２Ｃ１の積すなわち２４通りとなる。それぞれの場合に、第１スロットキー部材１３０が第１基板キー部材４６、第２基板キー部材４８、第３基板キー部材５０を通過させ、第２スロットキー部材１３２が第１基板キー部材４６及び第２基板キー部材４８を通過させ、第３スロットキー部材１３４が第１基板キー部材４６を通過させるような第１スロットキー部材１３０、第２スロットキー部材１３２、第３スロットキー部材１３４のスロット識別キー１１７の配置パターンが一つずつある。したがって、２４種類の基板ユニット２０を識別できる。
【００７７】
図２１においては、第３基板キー部材５０において基板識別キー２６が１番プリント基板３０から離れたレベルに配置された場合の６通りの基板キー部材２２の配置パターンｈ〜ｍと、それぞれの場合に基板ユニット２０の装着を許可するスロット識別キー１１７の配置パターンｈ’〜ｍ’のみを示す。この他の１８通りの基板キー部材２２の配置パターンと、それぞれの場合に基板ユニット２０の装着を許可するスロット識別キー１１７の配置パターンも同様に実現できる（図示せず）。
【００７８】
このように基板識別キー２６及びスロット識別キー１１７により、簡単な構成で複数の組み合わせの基板誤挿入防止構造を実現できる。
共通の部品を用いて異なる識別パターンを形成できるため、例えば従来用いられていた識別キーを持つ特殊コネクタ等が不要となり、コストが削減できる。
【００７９】
図２０および図２１において、基板ユニット２０がシェルフ筐体１０６のスロットに挿入されてプラグイン接続されるまでの間、一部の基板キー部材２２は一部のスロットキー部材１１６を通過するが、残りのスロットキー部材１１６を通過しない例を示した。
このような場合、基板ユニット２０がプラグイン接続された際、基板識別キー２６は、通過しないスロットキー部材１１６等と当接してもよい。そして、当接することにより、装着される基板ユニット２０に適した制御がなされてもよい。
【００８０】
例えば、基板識別キー２６とその基板識別キー２６が通過しないスロットキー部材１１６との当接により、装着された基板ユニット２０に適した温度調整がなされるようファンの回転が制御されてもよい。
また、基板識別キー２６と他の部材との当接により、シェルフ側壁１０８の開口が調整され、装着された基板ユニット２０に合わせて流入する風量が調整されてもよい。
【００８１】
例えば、電子機器１０においてプリント基板３０が実装されないスロットには、プリント基板３０の代わりに電子デバイスの搭載されない所謂ブランク板を含む基板ユニット２０（以下、「フィラー」ともよぶ）が装着されるが、フィラーの装着されたスロットは冷却されないよう、温度調整がなされてもよい。
【００８２】
ファンにより温度制御する場合、フィラーとして用いられる基板ユニット２０にはファンを駆動するための基板識別キー２６を設けず、電子デバイスの搭載されたプリント基板３０を備える基板ユニット２０にファンを駆動するための基板識別キー２６を設ける。
【００８３】
図２２は、ファンを駆動するためのファンスイッチ１４０（「ファン用スイッチ」ともよぶ）のシェルフ側壁１０８への取り付け例を示す。図２２は、シェルフ筐体１０６内から見たのシェルフ側壁１０８の一部を示す。図１２に示した部材と同様の部材には同じ符号を付し、説明は省略する。ファンスイッチ１４０はファン制御部（図示せず）に接続される。ファン制御部はファンスイッチ１４０からの信号を取得し、ファンの回転数を制御する
ファンスイッチ１４０は、シェルフ筐体１０６に基板ユニット２０を挿入した際にそのプリント基板３０からの高さすなわち距離が異なる複数のレベルのうち一つのレベルに設けられる。
【００８４】
冷却すべき基板ユニット２０上に設けられるファンスイッチ１４０を押すための基板キー部材２２は、ファンスイッチ１４０と同じレベルに設けられる。また、ファンスイッチ１４０と、そのファンスイッチ１４０を押すための基板キー部材２２の基板挿入方向の位置は、基板ユニット２０がプラグイン接続された状態で、基板キー部材２２がファンスイッチ１４０と当接し、スイッチがオンとなるよう定められる。
【００８５】
一方、フィラー等の冷却が不要な基板ユニット２０には基板識別キー２６が設けられず、または基板識別キー２６がファンスイッチ１４０と異なるレベルに設けられる。或いはファンスイッチ１４０及びそのファンスイッチ１４０と同じレベルの基板識別キー２６の基板挿入方向の位置が、基板ユニット２０がプラグイン接続された状態において基板識別キー２６とファンスイッチ１４０とが当接せぬよう定められる。
【００８６】
図２３は、冷却すべき基板ユニット２０が図の白抜き矢印の向きに挿入された際にそのプリント基板３０上の基板識別キー２６がファンスイッチ１４０を押下する様子を示す。
冷却すべき基板ユニット２０においては、ファンスイッチ１４０と等しいレベルに基板識別キー２６が設けられ、基板ユニット２０が挿入される際、基板キー部材２２がファンスイッチ１４０を押下する。ファン制御部２００はファンスイッチ１４０が押下されると、そのスロットを冷却するためのファンユニット１０４のファンを駆動する。その結果空気流が形成され、装着された基板ユニット２０が冷却される。
【００８７】
基板ユニット２０がスロットから抜去される際、ファンスイッチ１４０に当接していた基板識別キー２６が図２３の白抜き矢印の反対向きすなわちシェルフ筐体１０６の開口に向かって移動し、ファンスイッチ１４０の押下状態が解かれると、ファン制御部２００はそのスロットを冷却するためのファンユニット１０４のファンを停止させる。
これにより、冷却の必要な基板ユニット２０に対して自動的にファンユニット１０４を稼働する構成を実現でき、省電力化を図りつつ適切に電子機器を冷却できる。
【００８８】
ファンを駆動するための基板識別キー２６は、誤挿入防止機能を兼ね備えてもよい。この場合、基板ユニット２０上の他の基板識別キー２６と協働して対応しないスロットへの挿入を防止してもよい。
例えば、図２０に示した基板識別キー２６及びスロット識別キー１１７の配置例においては、第２スロットキー部材１２８のスロット識別キー１１７にファンスイッチ１４０を取り付けてもよい。そして、基板ユニット２０がシェルフ筐体１０６の奥まで挿入され、バックボードにプラグイン接続されたときに第２基板キー部材４４の基板識別キー２６がファンスイッチ１４０に当接し、押下した状態となるよう第２基板キー部材４４と第２スロットキー部材１２８の基板挿入方向の配置を定める。
【００８９】
また、図２１に示した基板識別キー２６及びスロット識別キー１１７の配置例において、第２スロットキー部材１３２または第３スロットキー部材１３４のいずれかのスロット識別キー１１７にファンスイッチ１４０を取り付けてもよい。
【００９０】
第２スロットキー部材１３２のスロット識別キー１１７にファンスイッチ１４０を取り付けた場合、基板ユニット２０が奥まで挿入されてプラグイン接続された際に第３基板キー部材５０の基板識別キー２６がファンスイッチ１４０を押下するよう第３基板キー部材５０と第２スロットキー部材１３２の基板挿入方向の配置を定めればよい。
第３スロットキー部材１３４のスロット識別キー１１７にファンスイッチ１４０を取り付けた場合、基板ユニット２０が奥まで挿入されてプラグイン接続された際に第２基板キー部材４８の基板識別キー２６がファンスイッチ１４０を押下するよう、第２基板キー部材４８と第３スロットキー部材１３４の基板挿入方向の配置を定めればよい。
【００９１】
なお、図２３においては、基板識別キー２６を一つ備える基板キー部材２２がファンスイッチ１４０に当接する例を示したが、例えば図３に示した基板キー部材２２ａのように二つ以上の基板識別キー２６を備える基板キー部材２２がファンスイッチ１４０を押下する構成としてもよい。
例えば図１６のパターンＡの基板キー部材２２がファンスイッチ１４０を押下する場合、第２レベル２７または第３レベル２８にファンスイッチ１４０を設ける。また、パターンＢの基板キー部材２２がファンスイッチ１４０を押下する場合、第１レベル２５または第３レベル２８にファンスイッチ１４０を設ける。また、パターンＣの基板キー部材２２がファンスイッチ１４０を押下する場合、第１レベル２５または第２レベル２７にファンスイッチ１４０を設ける。
【００９２】
そして、シェルフ筐体１０６において図１６のスロットキー部材１１６よりも奥にファンスイッチ１４０を配置する。基板キー部材２２とファンスイッチ１４０の位置関係は、基板ユニット２０がバックボードにプラグイン接続された際、基板キー部材２２の基板識別キー２６がファンスイッチ１４０を押下した状態となるよう定めればよい。
【００９３】
このように基板識別キー２６は、基板誤挿入防止機能と、ファンを駆動するためのボタン押下機能とを兼備できる。よって、省スペースかつ簡単な構成で、無駄なファン稼働を制限すると同時に基板ユニット２０のスロットへの誤挿入を防止できる。
【００９４】
また、上記の例ではファンスイッチ１４０として押下型のボタンを採用し、ファン制御部が基板識別キー２６が当接した際にファンを稼働させる例について説明したが、これに限られず、様々なスイッチ構成および制御が可能である。
【００９５】
例えばファン制御部は、基板識別キー２６がファンスイッチ１４０に当接した際にファン回転を停止または回転数を減少させてもよい。この場合、冷却が不要な基板ユニット２０において基板識別キー２６がファンスイッチ１４０に当接するようファンスイッチ１４０及び基板識別キー２６を配置する。
またファンスイッチ１４０は例えば、基板識別キー２６が通過する際にスイッチのオン、オフを切り替えるトグルスイッチであってもよい。
いずれの場合も省電力化を図りつつ適切に電子機器１０を冷却できる。
【００９６】
多数のプリント基板を有する電子機器においては一般的に、各ファンユニット１０４が２個以上のスロットすなわち２個以上のプリント基板を冷却する。
この場合、図示しないファン制御部は、ファンユニット１０４が冷却を担当するスロットのうち、いずれか一つのスロットにおいてファンスイッチ１４０がオンとなったときにファンユニット１０４を稼働させる。
ファン制御部はまた、ファンスイッチ１４０がオンとなったスロットの個数に応じてファンの回転数を制御してもよい。
これにより、冷却が必要な電子デバイスを適切に冷却しつつ、きめ細かく省電力化を実現できる。
【００９７】
また、ファンスイッチ１４０に代えて、又はファンスイッチ１４０に加えて、スライド可能な風量調整レバーを含む風量調整機構６０が設けられてもよい。風量調整機構６０は、例えば可変抵抗や、スライド位置に応じて複数の接点のいずれかに接続するスイッチ等、スライド量によって段階的あるいは連続的にレベル調整可能な部材を含んで構成され、スライド量に応じてファン制御部２００への入力信号を制御する。
【００９８】
図２４は、可変抵抗によりファン制御部２００への入力信号を変化させる風量調整機構６０と、ファン制御部２００とを含むファン風量制御回路の例を示す。
風量調整機構６０は、風量調整レバー６２、可変抵抗６４、引っ張りバネ６６を備える。
風量調整レバー６２は、シェルフ側壁１０８に取り付けられる。
プリント基板３０が挿入される際、基板識別キー２６は、風量調整レバー６２に当接し、スライドさせる。プリント基板３０が抜去される際、風量調整レバー６２は引っ張りバネ６６の作用により、風量調整レバー６２の可動範囲のうちシェルフ筐体１０６開口部側の端に戻る。
【００９９】
ファン制御部２００は、ＰＷＭ回路２０２を含み、ＰＷＭ回路２０２はコンパレータ部２０４を含む。基板識別キー２６が風量調整レバー６２に当接し風量調整レバー６２をスライドさせた距離に応じて、ＰＷＭ回路２０２のコンパレータ部２０４に入力する比較電圧が変更される。ファン制御部２００は、入力される比較電圧に基づいて、すなわちスライド可能レバーの位置に基づいてファンの回転数を制御する。
【０１００】
基板ユニット２０上の基板識別キー２６の設置位置の調整により、基板識別キー２６が風量調整レバー６２をスライドさせる距離を調整できる。よって、個々の基板ユニット２０の発熱量に応じて基板ユニット２０上の基板識別キー２６の設置位置を定めることで、各基板ユニット２０毎に適切なファン回転数を設定できる。
基板ユニット２０の種類が異なると搭載部品が異なり、発熱量も異なるため、基板識別キーを用いて基板の種類に応じてきめ細かくファンの回転数を制御することにより、簡易な構成で各基板を適切に冷却しつつ省電力化を図れる。
【０１０１】
また、前述のファンスイッチ１４０の場合と同様に、基板識別キー２６は、基板誤挿入防止機能と、ファンの回転数を制御するための風量調整レバー６２操作機能とを兼備可能である。よって、省スペースかつ簡単な構成で、適切な回転数でファン稼働できると同時に基板ユニット２０のスロットへの誤挿入を防止できる。
【０１０２】
また前述のように、基板識別キー２６と他の部材との当接により、装着される基板ユニット２０に適した温度調整がなされるようシェルフ側壁１０８の開口率が調整され、流入する風量が調整されてもよい。
図２５は、開口率を調整可能なシェルフ側壁１０８において、風量調整板を説明のため取り外した状態を示す。なお、図２５及び後述する図２７においては説明のため開口部枠１０７の図示を省略する。
図２６は、図２５のシェルフガイドレール１１０の風量調整板支持溝１５２にスライド可能に取り付けられ、流入する風量を調整する風量調整板１４４を示す。
【０１０３】
図２５に示すシェルフ側壁１０８はシェルフガイドレール１１０を備える。シェルフガイドレール１１０は、基板ユニット２０の挿入時に基板側レール３４を案内するとともに、風量調整板支持溝１５２において風量調整板１４４をスライド可能に支持する。シェルフ側壁１０８のメッシュ板１１４は、間隔を開けて配置された複数の開口を有する。図２５には円形の開口が示されているが、開口の形はこれに限られず、例えば多角形であってもよい。
シェルフ側壁１０８においてスロットの奥に板バネ１４２が備えられる。板バネ１４２は、風量調整板１４４に対して、図２５の白抜き矢印に示す基板ユニット２０挿入方向に力が働いていないとき、風量調整板１４４をスライドさせて初期位置に戻す。初期位置とは、風量調整板１４４が基板識別キー２６から力を受けていないときの風量調整板１４４を位置であり、風量調整板１４４が初期位置にあるとき、そのスロットの開口は閉じられる。
【０１０４】
風量調整板１４４は、間隔を開けて配置された複数の開口を有する開口板１４８と、係合片１５０と、ストッパ１４６とを備える。係合片１５０は、シェルフ筐体１０６に基板ユニット２０が挿入された際、そのプリント基板３０からの高さすなわち距離が異なる複数のレベルのうち一つのレベルに設けられる。係合片１５０は、基板ユニット２０において同じレベルに設けられた基板識別キー２６と当接し、その基板識別キー２６から力を受けて開口板１４８をシェルフ筐体１０６の奥にスライドさせる。ストッパ１４６は、板バネ１４２と当接して板バネ１４２から力を受け、風量調整板１４４が基板識別キー２６から基板挿入方向に力を受けていないとき、開口板１４８を初期位置に保つ。
【０１０５】
係合片１５０と、その係合片１５０を押すための基板キー部材２２の基板挿入方向の位置は、基板ユニット２０が挿入されてプラグイン接続されたとき、基板キー部材２２が係合片１５０と当接し、所望のスライド量だけ風量調整板１４４を移動させた状態となるよう定められる。
【０１０６】
所望のスライド量とは、その基板ユニット２０の発熱量に応じた適切なシェルフ側壁１０８の開口率を実現できるスライド量である。例えば発熱量の多い基板ユニット２０の場合、開口率を大きくすべくスライド量を大きく設定し、発熱量の少ない基板ユニット２０の場合、開口率を小さくすべくスライド量を小さく設定する。
【０１０７】
図２７は、図２５のシェルフ側壁１０８に図２６の風量調整板１４４を取り付けた状態において、基板ユニット２０の基板識別キー２６が係合片１５０と当接し、風量調整板１４４をスライドさせている様子を示す。
図２８（ａ）から（ｄ）は、風量調整板１４４がシェルフ側壁１０８に対してスライドし、開口率が調整される様子を示す。斜線部が風量調整板１４４の開口板１４８、黒色部がシェルフ側壁１０８のメッシュ板１１４のそれぞれ一部を示す。
【０１０８】
図２８（ａ）は、基板キー部材２２が挿入される前の初期状態であり、風量調整板１４４の開口とシェルフ側壁１０８の開口が重ならず、開口率は０パーセントとなるため、シェルフ側壁１０８を通じた風の流入または流出が阻止される。例えばフィラー等の冷却が不要な基板ユニット２０には係合片１５０と当接する基板識別キー２６は設けられず、風量調整板１４４は初期位置にとどまるため、そのスロットにおいてシェルフ側壁１０８を通過する空気流は生じない。
図２８（ｂ）は風量調整板１４４のシェルフ側壁１０８に対するスライド量が小さい場合の開口の様子を示す。
図２８（ｃ）は風量調整板１４４のシェルフ側壁１０８に対するスライド量が大きい場合の開口の様子を示す。
図２８（ｄ）は風量調整板１４４のシェルフ側壁１０８に対するスライド量が最大の場合の開口の様子を示す。風量調整板１４４の開口とシェルフ側壁１０８の開口が重なっており、シェルフ側壁１０８を通じた風の流入または流出が最大となる。
【０１０９】
このように、各基板ユニット２０挿入動作を利用して基板識別キー２６が風量調整板１４４をスライドさせ、シェルフ側壁１０８の開口率を基板ユニット２０に合わせて調整できる。冷却が不要なスロットの開口は閉じられるため、ファンユニット１０４が形成する空気流を冷却の必要な基板ユニット２０に集中でき、各基板ユニット２０の発熱量等に合わせて適切かつ効率的に電子機器を冷却できる。
【０１１０】
なお、上述のファンの回転調整の場合と同様に、風量調整板１４４をスライドさせる基板識別キー２６は誤挿入防止機能を兼ね備えてもよい。この場合、基板ユニット２０上の他の基板識別キー２６と協働して対応しないスロットへの誤挿入を防止してもよい。
よって、省スペースかつ簡単な構成で、各基板ユニット２０を効率よくかつ適切に冷却すると同時に基板ユニット２０のスロットへの誤挿入を防止できる。
【０１１１】
上述のファン回転の制御と風量調整板１４４による風量調整を組み合わせてもよい。
例えば基板ユニット２０は、ファンを制御するための基板識別キー２６と、風量調整板１４４スライドさせるための基板識別キー２６とを両方備えてもよい。
例えば図２１に示した基板識別キー２６及びスロット識別キー１１７の配置例において、第２スロットキー部材１３２または第３スロットキー部材１３４の一方のスロット識別キー１１７にファンスイッチ１４０を取り付け、他方のスロット識別キー１１７の位置に、係合片１５０を設けてもよい。
【０１１２】
或いは、一つの基板識別キー２６により、ファン回転の制御と風量調整板１４４による風量調整がなされてもよい。
例えば基板識別キー２６が風量調整板１４４スライドさせ、さらに風量調整板１４４がファンの回転数調整用のスライド抵抗等をスライドするよう構成されてもよい。例えば、風量調整板１４４がスライドスイッチ当接片（図示せず）を備え、スライドスイッチ当接片がファン回転数調整用のスライド抵抗をスライドさせる。
この際、複数の基板ユニット２０を冷却するファンについては、そのファンが冷却すべきスロットのスライド抵抗のスライド値のうちの最大値を採用してファン回転数を制御する。
【０１１３】
ファン回転の制御と風量調整板１４４による風量調整を組み合わせることで、簡単な構成により効率よく各基板ユニット２０毎にきめ細かく風の流量を調整し、適切に冷却できる。
また、この場合も基板識別キー２６は誤挿入防止機能を兼ね備えてもよい。これにより、省スペースかつ簡単な構成で、各基板ユニット２０を冷却すると同時に基板ユニット２０のスロットへの誤挿入を防止できる。
【０１１４】
以上、本発明を実施形態にもとづいて説明した。本発明は上述の実施形態に限定されるものではなく、実施形態の各要素を適宜組み合わせたものも、本発明の実施形態として有効である。また、当業者の知識に基づいて各種の設計変更等の変形を実施形態に対して加えることも可能であり、そのような変形が加えられた実施形態も本発明の範囲に含まれうる。
【産業上の利用可能性】
【０１１５】
以上のように本発明は複数の基板ユニットをシェルフに実装する電子機器に利用可能である。
【符号の説明】
【０１１６】
１０  電子機器、  ２０  基板ユニット、  ２６  基板識別キー、  ３０  プリント基板、  １１７  スロット識別キー、  １４４  風量調整板、  ２００  ファン制御部。
【図１】
2015015307.tif 000003
【図２】
2015015307.tif 000004
【図３】
2015015307.tif 000005
【図４】
2015015307.tif 000006
【図５】
2015015307.tif 000007
【図６】
2015015307.tif 000008
【図７】
2015015307.tif 000009
【図８】
2015015307.tif 000010
【図９】
2015015307.tif 000011
【図１０】
2015015307.tif 000012
【図１１】
2015015307.tif 000013
【図１２】
2015015307.tif 000014
【図１３】
2015015307.tif 000015
【図１４】
2015015307.tif 000016
【図１５】
2015015307.tif 000017
【図１６】
2015015307.tif 000018
【図１７】
2015015307.tif 000019
【図１８】
2015015307.tif 000020
【図１９】
2015015307.tif 000021
【図２０】
2015015307.tif 000022
【図２１】
2015015307.tif 000023
【図２２】
2015015307.tif 000024
【図２３】
2015015307.tif 000025
【図２４】
2015015307.tif 000026
【図２５】
2015015307.tif 000027
【図２６】
2015015307.tif 000028
【図２７】
2015015307.tif 000029
【図２８】
2015015307.tif 000030